(57)【要約】【課題】  ワイヤハーネスを容易に所定の向きで被取付部材に固定できるワイヤハーネス固定部材を提供する。【解決手段】  ワイヤハーネス固定部材３は、ワイヤハーネスＷＨの外周に巻き付けるバンド部４と、このバンド部４をワイヤハーネスＷＨに巻き付けた状態で固定するバンド固定部５と、バンド部４に固定され、被取付部材に係止できるクリップ部６と、バンド部４の長手方向に移動自在に設けられ、クリップ部６との間隔を可変できるクリップ向き規制部７とを備えている。そして、クリップ向き規制部７の凹部７ｂをワイヤハーネスＷＨの帯状目印部材２にはめ込み、バンド部４をワイヤハーネスＷＨの外周に巻き付け、この巻き付けたバンド部４をバンド固定部５で固定し、クリップ部６を被取付部材に係止する。【選択図】      図１
2006014481.tif 000002
【特許請求の範囲】
【請求項１】
ワイヤハーネスの外周に巻き付けて固定するワイヤハーネス固定部材において、
前記ワイヤハーネスの外周に巻き付けるバンド部と、このバンド部を前記ワイヤハーネスに巻き付けた状態で固定するバンド固定部と、前記バンド部に設けられ、被取付部材に係止されるクリップ部と、前記クリップ部から所望の距離隔てた位置で前記バンド部に設けられたクリップ向き規制部とを備えたことを特徴とするワイヤハーネス固定部材。
【請求項２】
請求項１記載のワイヤハーネス固定部材であって、
前記クリップ向き規制部は、前記ワイヤハーネスの外周に突出状態で設けられた帯状目印部材に嵌合する嵌合形状を有することを特徴とするワイヤハーネス固定部材。
【請求項３】
請求項１記載のワイヤハーネス固定部材であって、
前記クリップ部と前記クリップ向き規制部の少なくともいずれか一方は、前記バンド部の長手方向に移動自在に設けられたことを特徴とするワイヤハーネス固定部材。
【請求項４】
請求項３記載のワイヤハーネス固定部材であって、
前記クリップ向き規制部は前記バンド部に移動自在であり、前記クリップ部は前記バンド部に固定であることを特徴とするワイヤハーネス固定部材。
【請求項５】
請求項３記載のワイヤハーネス固定部材であって、
前記クリップ部は前記バンド部に移動自在であり、前記クリップ向き規制部は前記バンド部に固定であることを特徴とするワイヤハーネス固定部材。
【請求項６】
請求項３記載のワイヤハーネス固定部材であって、
前記移動自在に設けられたクリップ向き規制部又は前記クリップ部を移動した各位置で位置保持する位置保持手段を設けたことを特徴とするワイヤハーネス固定部材。
【請求項７】
請求項６記載のワイヤハーネス固定部材であって、
前記位置保持手段は、前記バンド部の長手方向に沿って連続的に設けられた連続凹凸部と、前記クリップ向き規制部又は前記クリップ部に設けられ、前記連続凹凸部に弾性撓み変形で係止・離脱自在な係止アーム部とから構成されたことを特徴とするワイヤハーネス固定部材。
【請求項８】
請求項１記載のワイヤハーネス固定部材であって、
前記バンド部に長手方向に目盛り部を設けたことを特徴とするワイヤハーネス固定部材。
【請求項９】
バンド部と、このバンド部をループ状にして固定できるバンド固定部と、前記バンド部に設けられたクリップ部と、このクリップ部から所望の距離隔てた位置で前記バンド部に設けられたクリップ向き規制部とを有するワイヤハーネス固定部材を使用するワイヤハーネス固定方法であって、
ワイヤハーネスの外周に沿って配置された帯状目印部材に前記クリップ向き規制部を位置合わせして前記バンド部を前記ワイヤハーネスの外周に巻き付け、前記ワイヤハーネスに巻き付けた前記バンド部を前記バンド固定部で固定し、前記クリップ部を被取付部材に係止することを特徴とするワイヤハーネス固定方法。
【請求項１０】
請求項９記載のワイヤハーネス固定方法であって、
前記クリップ向き規制部は帯状目印部材に嵌合する嵌合形状を有し、前記クリップ向き規制部を前記帯状目印部材に嵌合することにより位置合わせすることを特徴とするワイヤハーネス固定方法。
【請求項１１】
請求項９記載のワイヤハーネス固定方法であって、
前記バンド部の長手方向に移動自在に設けられた前記クリップ向き規制部を移動して前記クリップ部と前記クリップ向き規制部との間を所望の距離に設定し、その後に、前記ワイヤハーネスに前記バンド部を巻き付けることを特徴とするワイヤハーネス固定方法。
【請求項１２】
請求項９記載のワイヤハーネス固定方法であって、
前記バンド部の長手方向に移動自在に設けられた前記クリップ部を移動して前記クリップ部と前記クリップ向き規制部との間を所望の距離に設定し、その後に、前記ワイヤハーネスに前記バンド部を巻き付けることを特徴とするワイヤハーネス固定方法。
【発明の詳細な説明】
【技術分野】
【０００１】
本発明は、例えば、自動車に配索されるワイヤハーネスを車体パネル等に固定するワイヤハーネス固定部材及びワイヤハーネス固定方法に関する。
【背景技術】
【０００２】
この種のワイヤハーネス固定部材として、図１０及び図１１に示すものがある（例えば、特許文献１参照）。
【０００３】
このワイヤハーネス固定部材１００は、図１０に示すように、ワイヤハーネスＷＨの外周に巻き付ける帯状のバンド部１０１と、このバンド部１０１をワイヤハーネスＷＨに巻き付けた状態で固定するバンド固定部１０２と、バンド部１０１の一端側に固定され、被取付部材（図示せず）に係止するクリップ部１０３とから構成されている。
【０００４】
次に、ワイヤハーネス固定部材１００によるワイヤハーネスＷＨの固定作業を説明する。
【０００５】
図１１に示すように、ワイヤハーネスＷＨの固定位置にバンド部１０１を巻き付ける。そして、ワイヤハーネスＷＨを巻き付けたバンド部１０１をバンド固定部１０２で固定する。次に、ワイヤハーネス固定部材１００を装着したワイヤハーネスＷＨを例えば自動車の所定の配索経路に沿って配索し、クリップ部１０３を被取付部材である車体パネル（図示せず）等に係止する。これにより、ワイヤハーネスＷＨはワイヤハーネス固定部材１００を介して車体パネル等に固定することができる。
【０００６】
ところで、自動車等に配索されるワイヤハーネスＷＨは、車体パネル等に対して所定の回転角向きで固定する必要がある。特に、ワイヤハーネスＷＨの分岐線近傍では分岐線の向きを所定の回転角方向としなければワイヤハーネスＷＨの寸法不足や過度な捻れによる劣化が生じるためである。ワイヤハーネスＷＨを所定の向きに固定するためには、クリップ部１０３がワイヤハーネスＷＨの所望の向きに位置するようワイヤハーネス固定部材１００を装着する必要がある。
【特許文献１】特開２００３−１８００２３号公報
【発明の開示】
【発明が解決しようとする課題】
【０００７】
しかしながら、前記従来のワイヤハーネス固定部材１００では、クリップ部１０３がワイヤハーネスＷＨの所望の向きに位置させるようにワイヤハーネス固定部材１００を装着することが困難であるため、ワイヤハーネスＷＨを容易に所定の向きで被取付部材に固定できないという問題があった。
【０００８】
そこで、本発明は、前記した課題を解決すべくなされたものであり、ワイヤハーネスを容易に所定の向きで被取付部材に固定することができるワイヤハーネス固定部材及びワイヤハーネス固定方法を提供することを目的とする。
【課題を解決するための手段】
【０００９】
請求項１の発明は、ワイヤハーネスの外周に巻き付けて固定するワイヤハーネス固定部材において、前記ワイヤハーネスの外周に巻き付けるバンド部と、このバンド部を前記ワイヤハーネスに巻き付けた状態で固定するバンド固定部と、前記バンド部に設けられ、被取付部材に係止されるクリップ部と、このクリップ部から所望の距離隔てた位置で前記バンド部に設けられたクリップ向き規制部とを備えたことを特徴とする。
【００１０】
請求項２の発明は、請求項１記載のワイヤハーネス固定部材であって、前記クリップ向き規制部は、前記ワイヤハーネスの外周に突出状態で設けられた帯状目印部材に嵌合する嵌合形状を有することを特徴とする。
【００１１】
請求項３の発明は、請求項１記載のワイヤハーネス固定部材であって、前記クリップ部と前記クリップ向き規制部の少なくともいずれか一方は、前記バンド部の長手方向に移動自在に設けられたことを特徴とする。
【００１２】
請求項４の発明は、請求項３記載のワイヤハーネス固定部材であって、前記クリップ向き規制部は前記バンド部に移動自在であり、前記クリップ部は前記バンド部に固定であることを特徴とする。
【００１３】
請求項５の発明は、請求項３記載のワイヤハーネス固定部材であって、前記クリップ部は前記バンド部に移動自在であり、前記クリップ向き規制部は前記バンド部に固定であることを特徴とする。
【００１４】
請求項６の発明は、請求項３記載のワイヤハーネス固定部材であって、前記移動自在に設けられたクリップ向き規制部又は前記クリップ部を移動した各位置で位置保持する位置保持手段を設けたことを特徴とする。
【００１５】
請求項７の発明は、請求項６記載のワイヤハーネス固定部材であって、前記位置保持手段は、前記バンド部の長手方向に沿って連続的に設けられた連続凹凸部と、前記クリップ向き規制部又は前記クリップ部に設けられ、前記連続凹凸部に弾性撓み変形で係止・離脱自在な係止アーム部とから構成されたことを特徴とする。
【００１６】
請求項８の発明は、請求項１記載のワイヤハーネス固定部材であって、前記バンド部に長手方向に目盛り部を設けたことを特徴とする。
【００１７】
請求項９の発明は、バンド部と、このバンド部をループ状にして固定できるバンド固定部と、前記バンド部に設けられたクリップ部と、このクリップ部から所望の距離隔てた位置で前記バンド部に設けられたクリップ向き規制部とを有するワイヤハーネス固定部材を使用するワイヤハーネス固定方法であって、ワイヤハーネスの外周に沿って配置された帯状目印部材に前記クリップ向き規制部を位置合わせして前記バンド部を前記ワイヤハーネスの外周に巻き付け、前記ワイヤハーネスに巻き付けた前記バンド部を前記バンド固定部で固定し、前記クリップ部を被取付部材に係止することを特徴とする。
【００１８】
請求項１０の発明は、請求項９記載のワイヤハーネス固定方法であって、前記クリップ向き規制部は帯状目印部材に嵌合する嵌合形状を有し、前記クリップ向き規制部を前記帯状目印部材に嵌合することにより位置合わせすることを特徴とする。
【００１９】
請求項１１の発明は、請求項９記載のワイヤハーネス固定方法であって、前記バンド部の長手方向に移動自在に設けられた前記クリップ向き規制部を移動して前記クリップ部と前記クリップ向き規制部との間を所望の距離に設定し、その後に、前記ワイヤハーネスに前記バンド部を巻き付けることを特徴とする。
【００２０】
請求項１２の発明は、請求項９記載のワイヤハーネス固定方法であって、前記バンド部の長手方向に移動自在に設けられた前記クリップ部を移動して前記クリップ部と前記クリップ向き規制部との間を所望の距離に設定し、その後に、前記ワイヤハーネスに前記バンド部を巻き付けることを特徴とする。
【発明の効果】
【００２１】
請求項１の発明によれば、ワイヤハーネスの外周に沿って配置された帯状目印部材にクリップ向き規制部を位置合わせしてバンド部をワイヤハーネスの外周に巻き付け、ワイヤハーネスに巻き付けたバンド部をバンド固定部で固定し、クリップ部を被取付部材に係止することによってワイヤハーネスを被取付部材に固定する。クリップ部がクリップ向き規制部材を介してワイヤハーネスの外周の所定の向きに位置されるため、ワイヤハーネスを容易に所定の向きで被取付部材に固定することができる。
【００２２】
請求項２の発明によれば、クリップ向き規制部を帯状目印部材に容易に、且つ、確実に位置合わせできるため、位置合わせ作業が容易である。また、位置合わせした状態を確実に保持できるため、位置ずれによる不具合を防止することができる。
【００２３】
請求項３の発明によれば、クリップ部とクリップ向き規制部の間隔を自由に可変できるため、ワイヤハーネスに対するクリップ部の向きを自由に調整できる。従って、ワイヤハーネスの径の大小や取付向きの変化に応じてワイヤハーネスを所望の向きで被取付部材に固定することができる。
【００２４】
請求項４及び請求項５の発明によれば、請求項３の発明と同様の効果が得られる。
【００２５】
請求項６の発明によれば、クリップ向き規制部やクリップ部を移動した各位置で確実に位置保持できるため、クリップ向き規制部やクリップ部の取扱いが容易である。
【００２６】
請求項７の発明によれば、請求項６の発明と同様の効果が得られる。
【００２７】
請求項８の発明によれば、クリップ向き規制部とクリップ部とを容易に所定距離隔てた位置に設定することができる。
【００２８】
請求項９の発明によれば、クリップ部がクリップ向き規制部材を介してワイヤハーネスの外周の所定の向きに常に位置されるため、ワイヤハーネスを容易に所定の向きで被取付部材に固定することができる。
【００２９】
請求項１０の発明によれば、クリップ向き規制部を帯状目印部材に容易に、且つ、確実に位置合わせできるため、位置合わせ作業が容易である。また、位置合わせした状態を確実に保持できるため、位置ずれによる不具合を防止することができる。
【００３０】
請求項１１の発明によれば、ワイヤハーネスに対するクリップ部の位置を可変できるため、ワイヤハーネスに対するクリップ部の向きを自由に調整することができる。従って、ワイヤハーネスの径の大小や取付位置に変化に応じてワイヤハーネスを所望の向きで被取付部材に固定することができる。
【００３１】
請求項１２の発明によれば、ワイヤハーネスに対するクリップ部の位置を可変できるため、ワイヤハーネスに対するクリップ部の向きを自由に調整することができる。従って、ワイヤハーネスの径の大小や取付位置に変化に応じてワイヤハーネスを所望の向きで被取付部材に固定することができる。
【発明を実施するための最良の形態】
【００３２】
以下、本発明の実施形態を図面に基づいて説明する。
【００３３】
図１〜図３は本発明の第１実施形態を示し、図１（ａ）はワイヤハーネスにワイヤハーネス固定部材を装着した状態を示す斜視図、図１（ｂ）はワイヤハーネスにワイヤハーネス固定部材を装着した状態を示す側面図、図２はワイヤハーネス固定部材の装着前の斜視図、図３はクリップ向き規制部の拡大断面図である。
【００３４】
図１（ａ），（ｂ）に示すように、ワイヤハーネスＷＨは、複数の電線が集束され、且つ、その長手方向の適所で拘束テープ１により拘束されることによって束ねられている。ワイヤハーネスＷＨの外周の同じ回転角位置には長手方向に沿って帯状目印部材２が拘束テープ１により電線と共に拘束されることによって配置されている。帯状目印部材２は、この第１実施形態では、断面四角形のロッド部材にて形成されている。
【００３５】
図１（ａ），（ｂ）及び図２に示すように、ワイヤハーネス固定部材３は、ワイヤハーネスＷＨを被取付部材である車体パネル（図示せず）等に固定するものであり、帯状のバンド部４と、バンド部４をループ状にして固定するバンド固定部５と、バンド部４の基端部に固定されたクリップ部６と、バンド部４の長手方向に移動自在に設けられたクリップ向き規制部７とから構成されている。
【００３６】
バンド部４は、可撓性を有し、その外面側には長手方向に沿って連続的に連続凹凸部４ａが形成されている。バンド部４の先端側は、先細りのテーパ状に形成されている。
【００３７】
バンド固定部５は、バンド部４が挿通されるバンド挿通孔（図示せず）とバンド挿通孔に挿通されたバンド部４の連続凹凸部４ａに係止する係止突起（図示せず）とを有し、バンド挿通孔に挿入したバンド部４の連続凹凸部４ａに係止突起（図示せず）が強く係止することによってループ状にしたバンド部４を固定するようになっている。
【００３８】
クリップ部６は、バンド固定部５と一体にバンド部４の基端部に固定されている。クリップ部６は、車体パネル等に形成されたクリップ被係止部（図示せず）に所定寸法だけ挿入されると、弾性復帰変形を利用して車体パネルに係止されるようになっている。
【００３９】
クリップ向き規制部７は、バンド部４が貫通するバンド貫通孔７ａを有し、バンド部４の長手方向に沿って移動自在に設けられている。クリップ向き規制部７は、帯状目印部材２に嵌合する凹部７ｂを有し、この凹部７ｂを帯状目印部材２に嵌合することによって帯状目印部材２の位置に位置合わせできるようになっている。
【００４０】
また、クリップ向き規制部７は、バンド部４の各位置で位置保持手段１０によって位置保持できるようになっている。位置保持手段１０は、図３に示すように、バンド部４の長手方向に沿って連続的に設けられた連続凹凸部４ａと、クリップ向き規制部７よりバンド貫通孔７ａ内に突設され、連続凹凸部４ａに弾性撓み変形で係止・離脱自在な係止アーム部１０ａとから構成されている。連続凹凸部４ａは後述する変形例に示すようにバンド部４の固定に使用するものを兼用している。クリップ向き規制部７にバンド部４の長手方向の外力を作用させると、その外力によって係止アーム部１０ａがバンド部４の連続凹凸部４ａより離脱する方向に弾性変形し、これによってクリップ向き規制部７のバンド部４の長手方向のスライド移動が許容されるようになっている。一方、クリップ向き規制部７に外力を作用させることを停止すると、係止アーム部１０ａが最終的に係止した連続凹凸部４ａとの係止状態を保持し、これにより位置保持ができるようになっている。
【００４１】
次に、ワイヤハーネス固定部材３によるワイヤハーネスＷＨの固定作業を図１（ａ），（ｂ）及び図２を参照しつつ説明する。
【００４２】
先ず、図２に示すように、ワイヤハーネス固定部材３Ａのクリップ向き規制部７をバンド部４の長手方向に移動し、クリップ部６とクリップ向き規制部７との間を所望の距離に設定する。
【００４３】
次に、図１（ａ），（ｂ）に示すように、ワイヤハーネスＷＨの車体パネルへの固定位置を特定し、その特定位置で帯状目印部材２にクリップ向き規制部７の凹部７ｂを嵌合する。これにより、クリップ向き規制部７は、帯状目印部材２の位置に位置合わせされる。
【００４４】
次に、バンド部４をワイヤハーネスＷＨの外周に巻き付け、ワイヤハーネスＷＨの外周に巻き付けたバンド部４の先端側をバンド固定部５のバンド挿通孔に挿通してループ状とする。ループ状としたバンド部４でワイヤハーネスＷＨの外周を強く締結すると、バンド部４の凹凸部４ａが最終的に係止する箇所でバンド固定部５がバンド部４を固定する。これにより、ワイヤハーネス固定部材３ＡがワイヤハーネスＷＨの所定位置に装着される。
【００４５】
次に、ワイヤハーネスＷＨを自動車の所望の配索経路に沿って配索し、ワイヤハーネス固定部材３のクリップ部６を被取付部材である車体パネルのクリップ被取付孔に係止すると、ワイヤハーネスＷＨがワイヤハーネス固定部材３を介して車体パネルに固定され、これで、固定作業が完了する。
【００４６】
ワイヤハーネスＷＨの帯状目印部材２の位置にクリップ向き規制部７が位置し、且つ、このクリップ向き規制部７に対して所定の距離隔てた位置にクリップ部６が位置するため、ワイヤハーネスＷＨの帯状目印部材２に対して特定された回転角位置にクリップ部６が配置されることになる。これにより、クリップ部６はクリップ向き規制部７を介してワイヤハーネスＷＨの外周の所定の向きに位置されるため、ワイヤハーネスＷＨを容易に所定の向きで車体パネル等に固定することができる。
【００４７】
第１実施形態では、クリップ向き規制部７は、ワイヤハーネスＷＨの外周に突出状態で設けられた帯状目印部材２に嵌合する嵌合形状、つまり、凹部７ｂを有するので、クリップ向き規制部７を帯状目印部材２に容易に、且つ、確実に位置合わせできるため、位置合わせ作業が容易である。また、位置合わせした状態を確実に保持することができる。このため、クリップ向き規制部７が帯状目印部材２から位置ずれ不具合を防止することができる。
【００４８】
第１実施形態では、クリップ向き規制部７はバンド部４に移動自在であるので、クリップ部６との間隔を自由に可変できるため、ワイヤハーネスＷＨに対するクリップ部６の位置を自由に調整できる。従って、ワイヤハーネスＷＨの径の大小や取付向きの変化に応じてワイヤハーネスＷＨを所望の向きで被取付部材に固定することができる。
【００４９】
第１実施形態では、移動自在に設けられたクリップ向き規制部７を所定の位置に保持する位置保持手段１０を設けたので、クリップ向き規制部７をバンド部４の移動した各位置に確実に保持することができる。このため、クリップ向き規制部７の取扱いが容易である。
【００５０】
第１実施形態では、位置保持手段１０は、バンド部４の長手方向に沿って連続的に設けられた連続凹凸部４ａと、クリップ向き規制部７に設けられ、連続凹凸部４ａに弾性撓み変形で係止・離脱自在な係止アーム部１０ａとから構成されている。しかし、位置保持手段１０はクリップ向き規制部７を移動した各位置で位置保持できるものであれば良く、これに限定されるものではない。
【００５１】
図４（ａ），（ｂ）は第１実施形態の変形例を示す。この変形例では、クリップ向き規制部７に設けられた係止アーム部１０ａ′とクリップのバンド固定部５に設けられた係止アームαとが、バンド部４に設けられた同一の連続凹凸部４ａ′に係合するようになっている。
【００５２】
図５及び図６は第１実施形態の他の変形例を示し、図５はワイヤハーネス固定部材の斜視図、図６は図５のＡ矢視図である。
【００５３】
図５及び図６に示すように、この他の変形例のワイヤハーネス固定部材３Ａでは、バンド部４の長手方向に目盛り部１２が設けられている。尚、他の構成は前記第１実施形態と同一構成であるので、同一構成部分には同一符号を付してその詳細な説明を省略する。
【００５４】
この他の変形例でも、第１実施形態と同様に、ワイヤハーネスの帯状目印部材の位置にクリップ向き規制部７が位置し、且つ、このクリップ向き規制部７に対して所定の距離隔てた位置にクリップ部６が位置するため、ワイヤハーネスの帯状目印部材に対して特定された回転角位置にクリップ部６が配置されることになる。これにより、クリップ部６はクリップ向き規制部７を介してワイヤハーネスの外周の所定の向きに位置されるため、ワイヤハーネスを容易に所定の向きで車体パネル等に固定することができる。
【００５５】
また、第１実施形態の他の変形例では、バンド部４の長手方向に目盛り部１２を設けたので、クリップ向き規制部７とクリップ部６とを容易に所定距離隔てた位置に設定することができる。
【００５６】
図７〜図１０は本発明の第２実施形態を示し、図７はワイヤハーネスにワイヤハーネス固定部材を装着した状態を示す斜視図、図８はワイヤハーネスにワイヤハーネス固定部材を装着した状態を示す側面図、図９はワイヤハーネス固定部材の装着前の斜視図、図１０はクリップ部の拡大断面図である。
【００５７】
図７〜図１０に示すように、この第２実施形態のワイヤハーネス固定部材２０は、前記第１実施形態のものと比較するに、バンド部２１に対してクリップ向き規制部２２が固定で、クリップ部２３が移動自在に設けられている。そして、バンド部２１に対して移動しないクリップ向き規制部２２にバンド固定部２４が一体に設けられている。また、バンド部２１に対して移動するクリップ部２３は、バンド部２１が貫通するバンド貫通孔２３ａを有し、バンド部４の各位置で位置保持手段２５によって位置保持される。図９に示すように、位置保持手段２５は、バンド部２１の長手方向に沿って連続的に設けられた連続凹凸部２１ａと、クリップ部２３よりバンド貫通孔２３ａ内に突設され、連続凹凸部２１ａに弾性撓み変形で係止・離脱自在な係止アーム部２５ａとから構成されている。連続凹凸部２１ａは、前記第１実施形態の変形例と同様に、バンド固定部２４の固定に使用するものを利用している。これら以外の構成は、前記第１実施形態と同様であり、同一構成部分には同一符号を付してその詳細な説明を省略する。
【００５８】
この第２実施形態のワイヤハーネス固定部材２０を使用してワイヤハーネスＷＨを固定する場合においても、ワイヤハーネスＷＨの帯状目印部材２の位置にクリップ向き規制部２２が位置し、且つ、このクリップ向き規制部２２に対して所定の距離隔てた位置にクリップ部２３が位置するため、ワイヤハーネスＷＨの帯状目印部材２に対して特定された位置にクリップ部２３が配置されることになる。これにより、クリップ部２３はクリップ向き規制部２２を介してワイヤハーネスＷＨの外周の所定の向きに常に位置されるため、ワイヤハーネスＷＨを容易に所定の向きで被取付部材に固定することができる。
【００５９】
第２実施形態でも、第１実施形態と同様に、クリップ向き規制部２２は、ワイヤハーネスＷＨの外周に突出状態で設けられた帯状目印部材２に嵌合する凹部２２ｂ、つまり、嵌合形状を有するので、クリップ向き規制部２２を帯状目印部材２に容易に、且つ、確実に位置合わせすることができる。このため、位置合わせ作業が容易である。また、位置合わせした状態を確実に保持することができる。このため、クリップ向き規制部２２が帯状目印部材２から位置ずれ不具合を防止することができる。
【００６０】
第２実施形態では、クリップ部２３はバンド部２１に移動自在であるので、クリップ向き規制部２２との間隔を自由に可変させることができる。このため、ワイヤハーネスＷＨの径の大小や取付向きの変化に応じてワイヤハーネスＷＨを所望の向きで被取付部材に固定することができる。
【００６１】
第２実施形態では、移動自在に設けられたクリップ部２３を各位置に位置保持する位置保持手段２５を設けたので、クリップ部２３をバンド部２１の移動した各位置で確実に位置保持できる。このため、クリップ部２３の取扱いが容易である。
【００６２】
また、第２実施形態において、第１実施形態の変形例と同様に、バンド部２１の長手方向に目盛り部を設ければ、クリップ向き規制部２２とクリップ部２３とを容易に所定距離隔てた位置に設定することができ、使い勝手が良い。
【００６３】
尚、前記第１及び第２実施形態では、ワイヤハーネスＷＨの外周に配置された帯状目印部材２は、断面四角形のロッド部材であったが、拘束された電線の１本で、且つ、形状に特徴あるものを帯状目印部材しても良く、また、ワイヤハーネスＷＨの外周に形成したマーキングを帯状目印部材としても良い。さらに、第１実施形態では、クリップ向き規制部７をバンド部４に移動自在に設け、第２実施形態では、クリップ部２３をバンド部２１に移動自在に設けたが、クリップ向き規制部とクリップ部の双方をバンド部に移動自在に設けても良い。また、クリップ向き規制部とクリップ部の間隔が一定で良い場合には、クリップ向き規制部とクリップ部とを共にバンド部に固定状態で設けても良い。
【００６４】
尚、この明細書では、ワイヤハーネスＷＨとは、複数の電線を集束したもののみならず、多数の芯線を内蔵した１本の電線をも含む概念である。
【図面の簡単な説明】
【００６５】
【図１】本発明の第１実施形態を示し、（ａ）はワイヤハーネスにワイヤハーネス固定部材を装着した状態を示す斜視図、（ｂ）はワイヤハーネスにワイヤハーネス固定部材を装着した状態を示す側面図である。
【図２】本発明の第１実施形態を示し、ワイヤハーネス固定部材の装着前の斜視図である。
【図３】本発明の第１実施形態を示し、クリップ向き規制部の拡大断面図である。
【図４】本発明の第１実施形態の変形例を示し、（ａ）はクリップ向き規制部のバンド部の固定前の断面図、（ｂ）は同バンド部の固定後の断面図である。
【図５】本発明の第１実施形態の他の変形例を示し、ワイヤハーネス固定部材の斜視図である。
【図６】本発明の第１実施形態の他の変形例を示し、図５のＡ矢視図である。
【図７】本発明の第２実施形態を示し、ワイヤハーネスにワイヤハーネス固定部材を装着した状態を示す斜視図である。
【図８】本発明の第２実施形態を示し、ワイヤハーネスにワイヤハーネス固定部材を装着した状態を示す側面図である。
【図９】本発明の第２実施形態を示し、ワイヤハーネス固定部材の装着前の斜視図である。
【図１０】本発明の第２実施形態を示し、クリップ部の拡大断面図である。
【図１１】従来例を示し、ワイヤハーネス固定部材の装着前の平面図である。
【図１２】従来例を示し、ワイヤハーネスにワイヤハーネス固定部材を装着した状態を示す側面図である。
【符号の説明】
【００６６】
２  帯状目印部材
３，３Ａ  ワイヤハーネス固定部材
４  バンド部
４ａ  連続凹凸部
５  バンド固定部
６  クリップ部
７  クリップ向き規制部
７ｂ  凹部
１０  位置保持手段
１０ａ  係止アーム部
１２  目盛り部
２０  ワイヤハーネス固定部材
２１  バンド部
２１ａ  連続凹凸部
２２  クリップ向き規制部
２２ｂ  凹部
２３  クリップ部
２４  バンド固定部
２５  位置保持手段
２５ａ  係止アーム部
ＷＨ  ワイヤハーネス
【図１】
2006014481.tif 000003
【図２】
2006014481.tif 000004
【図３】
2006014481.tif 000005
【図４】
2006014481.tif 000006
【図５】
2006014481.tif 000007
【図６】
2006014481.tif 000008
【図７】
2006014481.tif 000009
【図８】
2006014481.tif 000010
【図９】
2006014481.tif 000011
【図１０】
2006014481.tif 000012
【図１１】
2006014481.tif 000013
【図１２】
2006014481.tif 000014